(57)【要約】【課題】  充填される液体内容物に対応して効率よく取り出すことができる液体容器を提供する。【解決手段】  ガゼット部２と両面部分３を有する袋状容器４と、口部６と接合部８を有し接合部８を袋状容器４の開口端に固着した取出具５と、特定形の取出口を有し取出具５の口部６に装着された内装体７とを備え、口部６の内面と内装体７の外面の対向する面の一方に凹部１０を設け、他方に凹部１０に係止する凸部１２を設けて構成される。【選択図】  図２
2006327651.tif 000002
【特許請求の範囲】
【請求項１】
ガゼット部と両面部分を有する袋状容器と、口部と接合部を有し接合部を袋状容器の開口端に固着した取出具と、特定形の取出口を有し取出具の口部に装着された内装体とを備え、口部の内面と内装体の外面の一方に凹部を設け、他方に凹部に係止する凸部を設けたことを特徴とする液体容器。
【請求項２】
口部の内面に凹部を設け、内装体の外面に凸部を設けたことを特徴とする請求項１に記載の液体容器。
【請求項３】
内装体は、ガスバリヤー性合成樹脂により成形されていることを特徴とする請求項１または２に記載の液体容器。
【請求項４】
内装体は、酸素吸収剤を混入した合成樹脂により成形されていることを特徴とする請求項１または２に記載の液体容器。
【請求項５】
両面部分と底部を有する袋状容器と、口部と接合部を有し接合部を袋状容器の開口端に固着した取出具と、特定形の取出口を有し取出具の口部に装着された内装体とを備え、口部の内面と内装体の外面の一方に凹部を設け、他方に凹部に係止する凸部を設けたことを特徴とする液体容器。
【請求項６】
口部の内面に凹部を設け、内装体の外面に凸部を設けたことを特徴とする請求項５に記載の液体容器。
【請求項７】
内装体は、ガスバリヤー性合成樹脂により成形されていることを特徴とする請求項５または６に記載の液体容器。
【請求項８】
内装体は、酸素吸収剤を混入した合成樹脂により成形されていることを特徴とする請求項５または６に記載の液体容器。
【発明の詳細な説明】
【技術分野】
【０００１】
本発明は、充填される内容物の性質に対応して効率よく取り出すことができる液体容器に関する。
【背景技術】
【０００２】
スポーツドリンクやオレンジジュースのような液体飲料を充填する液体容器として、フィルム素材により成形された袋状容器と、口部および接合部を有し接合部を袋状容器本体の開口端に固着した取出装置とから構成されたものは、たとえば、特許文献１に記載されている。
【０００３】
この種の液体容器は、缶やビンに比較して軽量で開封性がよいので、液体飲料の外にうどんのめんつゆや焼き肉のたれあるいはマヨネーズやチョコレートの収納容器としてそのままの形態で用いられている。
【０００４】
しかしながら、上記液体容器は、充填される内容物を液体飲料として取出装置の口部の口径を画一的に規定して作られているので、そのままの取出装置の口部では、充填される内容物がマヨネーズやチョコレートのような粘性の高い内容物であると、適切に取り出すことができない場合がある。このような場合には、液体容器に取り付けられる取出装置の口部をチョコレートやマヨネーズを取り出すのに適した口径に変更することが必要である。
【特許文献１】実開昭６２−１３４８２６号公報
【発明の開示】
【発明が解決しようとする課題】
【０００５】
しかしながら、液体容器に取り付けられる取出装置の口部の口径を充填される内容物に適応させるためには、口部の口径の異なる取出装置を有する液体容器を多種類製作し、充填される内容物に応じて在庫した多種類の液体容器から適切なものを選定しなければならず、液体容器の製作および在庫管理に相当の労力を必要とするという問題がある。  本発明は、上記した点を考慮してなされたもので、多種類の液体容器を製作することなく、充填される液状内容物に対応して効率よく取り出すことができる液体容器を提供することにある。
【課題を解決するための手段】
【０００６】
本発明の液体容器は、ガゼット部と両面部分を有する袋状容器と、口部と接合部を有し接合部を袋状容器の開口端に固着した取出具と、特定形の取出口を有し取出具の口部に装着された内装体とを備え、口部の内面と内装体の外面の一方に凹部を設け、他方に凹部に係止する凸部を設けて構成される。
【発明の効果】
【０００７】
本発明によれば、液体容器の取出具の口部に特定形の取出口を有する内装体を装着することで、充填される内容物に応じて多種類の液体容器を製作する必要がなく、充填される内容物を効率よく取り出すことができる。
【発明を実施するための最良の形態】
【０００８】
以下、本発明による液体容器の一実施形態について、添付の図面を参照しながら説明する。  
図１において符号１は、本発明による液体容器を示し、この液体容器１は、内側に折り込まれるガゼット部２，２と両面部分３，３を有する袋状容器４と、袋状容器４の開口端に固着された取出具５と、取出具５の口部６に装着された内装体７（図２）から構成される。
【０００９】
上記取出具５は、図３に示すように、たとえば、高密度ポリエチレン樹脂のような合成樹脂材料を用いて一体成形された口部６と接合部８と導管部９とを有する。取出具５の口部６の開口端に近い部位に内装体７を固定するための環状溝１０が形成されている。また、取出具５の導管部９には内容物を取り出すための開口１１が形成されている。取出具５の口部６の開口端に近い部位に設けた環状溝１０は、不連続であってもよく、場合によって直径線上に位置する２つの凹部であってもよい。
【００１０】
上記内装体７は、取出具５の口部６の内径に対応した外径をなし、充填される液体を取り出すのに適した適当形状の長手方向に延びる貫通孔を有する。たとえば、内装体７の貫通孔は、図４（ａ）に示す円形孔７ａであり、図４（ｂ）に示す十文字孔７ｂであり、図４（ｃ）に示す２つ孔７ｃである。上記内装体７に設けた貫通孔は星形や多角形の孔であってもよい。
【００１１】
また、内装体７の外面には、口部６に設けた環状溝１０に嵌合する環状凸部１２が形成されている。内装体７に設けた環状凸部１２は、内装体７を固定することができるものであれば不連続の凸部あつてもよい。また、内装体７の外面に設けた凸部は、取出具５の口部６に設けた凹部が直径線上に位置する２つてあれば、これに対応した２つである。
【００１２】
上記内装体７は、エバール（エチレン−ビニルアルコール共重合体）、ポリエチレン、ポリプロピレン等のオレフィンやポリエステルのようなガスバリヤー性樹脂により成形することができる。内装体７を構成する樹脂材料に酸素吸収剤を混入することもできる。これは充填される内容物をガスあるいは酸素から保護するためである。内装体７の材料は、充填される内容物に応じて適宜選定される。
【００１３】
上記内装体７は、ガスバリヤー性樹脂により作られた取出具５の口部６の内径に対応した外径の筒状体とし、取出具５の口部６に装着することでして、取出具５の口部６にガスバリヤー性を付与することもできる。
【００１４】
上記袋状容器４を構成するラミネートフィルム１３は、図６に示すように、厚さ１２μｍのポリエステルフィルム１４と厚さ９μｍのアルミホイル１５と厚さ１５μｍのポリアミドフィルム１６と厚さ４０μｍ〜１２０μｍのポリエチレンフィルム１７をラミネートすることで形成される。
【００１５】
本発明による液体容器１は、図示しない充填装置により取出具５を通して内部空間に内容物が充填する場合には、内装体７を取り付けない状態で、取出具５を通して内部空間に内容物が充填し、そのた後に充填した内容物の特性に応じて特定形の取出口を有する内装体７を選定し、選定した内装体７を取出具５の口部６に環状凸部１２を手前側にして挿入し、内装体７に設けた環状凸部１２を口部６に設けた環状溝１０に嵌合する。これにより、内装体７は取出具５の口部６に固定される。液体容器１に充填された内容物は、内装体７に設けた特定形状の貫通孔を通して効率よく取り出すことができる。
【００１６】
また、本発明による液体容器１は、図示しない充填装置により袋状容器４の下端開口部から内部空間に内容物が充填する場合には、内装体７として充填される内容物の特性に応じて特定形の取出口を有する内装体７を選定し、選定した内装体７を取出具５の口部６に環状凸部１２を手前側にして挿入し、内装体７に設けた環状凸部１２を口部６に設けた環状溝１０に嵌合し、内装体７を取出具５の口部６に固定する。これに続いて、図示しない充填装置により袋状容器４の下端開口部から内部空間に内容物が充填し、袋状容器４の下端開口部をヒートシール加工して閉じる。液体容器１に充填された内容物は、内装体７に設けた特定形状の貫通孔を通して効率よく取り出すことができる。
【００１７】
なお、上記実施の形態では、袋状容器４は、ガゼット部２，２と両面部分３，３を有するいわゆるガゼット形袋状容器であるが、この袋状容器４は、両面部分と底部を有する自立形袋状容器であってよい。
【００１８】
両面部分と底部を有する自立形袋状容器を有する液体容器は、自立形袋状容器を除いて上記実施の形態のガゼット形袋状容器を有する液体容器と同様な作用効果を奏するものあるので説明を省略する。
【図面の簡単な説明】
【００１９】
【図１】本発明による液体容器の一部を破いて示す斜視図である。
【図２】本発明による液体容器の取出具の部分を示す図である。
【図３】本発明による液体容器の取出具の部分から内装体を取り除いて示す図である。
【図４】本発明による液体容器に組み込まれる内装体を示す図である。
【図５】本発明による液体容器の開口端部分の断面図である。
【図６】本発明による液体容器の素材となるラミネートフィルムを示す図である。
【符号の説明】
【００２０】
１  液体容器
２  ガゼット部
３  両面部分
４  袋状容器
５  取出具
６  口部
７  内装体
８  接合部
１０  環状溝
１２  環状凸部
【図１】
2006327651.tif 000003
【図２】
2006327651.tif 000004
【図３】
2006327651.tif 000005
【図４】
2006327651.tif 000006
【図５】
2006327651.tif 000007
【図６】
2006327651.tif 000008